(57)【要約】  【課題】  減衰器を組み込むモジュール等の筐体の外側から減衰量の調整や動的なチューニングを容易に行なうことができる減衰器を提供する。  【解決手段】  平板導体１，２，３が、順次、高周波信号の波長の２分の１以下の間隔で平行に配置されているとともに、平板導体１，２間に配置された２本の誘電体線路４，５ならびに平板導体２，３間に配置された、２本の誘電体線路４，５の間に電気的に接続され高周波信号を減衰させる誘電体部材６を、この誘電体部材６の一端６ａ側と誘電体線路４の一端側とを、および誘電体部材６の他端６ｂ側と誘電体線路５の一端側とをそれぞれ平板導体２に設けた貫通孔２ａ，２ｂを挟んで対向させて接続している減衰器である。減衰量を、誘電体線路４，５を挟んでいる平板導体１，２の外側で簡単に調整することができ、誘電体部材６は平板導体２，３間に隙間なく固定されるので、高周波信号の透過特性を安定に維持できる。【選択図】  図１
2006157287.tif 000002
【特許請求の範囲】
【請求項１】
第１、第２および第３の平板導体が、順次、高周波信号の波長の２分の１以下の間隔で平行に配置されているとともに、前記第１および第２の平板導体間に配置された２本の誘電体線路ならびに前記第２および第３の平板導体間に配置された、前記２本の誘電体線路の間に電気的に接続され前記高周波信号を減衰させる誘電体部材を、該誘電体部材の一端側と前記誘電体線路の一方の一端側とを、および前記誘電体部材の他端側と前記誘電体線路の他方の一端側とをそれぞれ前記第２の平板導体に設けた貫通孔を挟んで対向させて接続していることを特徴とする減衰器。
【請求項２】
前記誘電体部材は、前記高周波信号を減衰する抵抗体または電波吸収体が設けられていることを特徴とする請求項１記載の減衰器。
【請求項３】
高周波信号を発生する高周波発振器と、該高周波発振器に第１の高周波用伝送線路で接続された、前記高周波信号を分岐して一方の出力端に送信用高周波信号として出力し、他方の出力端にローカル信号として出力する分岐器と、磁性体の周囲に第１の端子，第２の端子および第３の端子を有し、この順に一つの端子から入力された高周波信号を隣接する次の端子より出力する、前記分岐器の前記一方の出力端に第２の高周波用伝送線路で前記第１の端子が接続されたサーキュレータと、該サーキュレータの前記第２の端子に第３の高周波用伝送線路で接続された送受信アンテナと、前記分岐器の前記他方の出力端と前記サーキュレータの前記第３の端子との間に第４および第５の高周波用伝送線路で接続された、前記他方の出力端に出力された前記ローカル信号と前記送受信アンテナで受信した高周波信号とを混合して中間周波信号を出力するミキサーとを具備しており、前記第１乃至第５の高周波用伝送線路の少なくとも１つに請求項１または請求項２記載の減衰器が接続されていることを特徴とする高周波送受信器。
【請求項４】
高周波信号を発生する高周波発振器と、該高周波発振器に第１の高周波用伝送線路で接続された、前記高周波信号を分岐して一方の出力端に送信用高周波信号として出力し、他方の出力端にローカル信号として出力する分岐器と、該分岐器の前記一方の出力端に入力端が第２の高周波用伝送線路で接続された、出力端側に前記送信用高周波信号を出力するアイソレータと、該アイソレータの前記出力端に第３の高周波用伝送線路で接続された、前記送信用高周波信号を送信する送信アンテナと、前記分岐器の前記他方の出力端側に第４の高周波用伝送線路で接続された受信アンテナと、該受信アンテナと前記分岐器の前記他方の出力端との間に前記第４の高周波用伝送線路および第５の高周波用伝送線路で接続された、前記他方の出力端に出力されたローカル信号と前記受信アンテナで受信した高周波信号とを混合して中間周波信号を出力するミキサーとを具備しており、前記第１乃至第５の高周波用伝送線路の少なくとも１つに請求項１または請求項２記載の減衰器が接続されていることを特徴とする高周波送受信器。
【請求項５】
請求項３または請求項４記載の高周波送受信器と、この高周波送受信器から出力される前記中間周波信号を処理して探知対象物までの距離情報を検出する距離情報検出器とを具備することを特徴とするレーダ装置。
【請求項６】
請求項５記載のレーダ装置を備え、このレーダ装置を探知対象物の検出に用いることを特徴とするレーダ装置搭載車両。
【請求項７】
請求項５記載のレーダ装置を備え、このレーダ装置を探知対象物の検出に用いることを特徴とするレーダ装置搭載小型船舶。
【発明の詳細な説明】
【技術分野】
【０００１】
本発明は、車載レーダ装置等で用いられるミリ波集積回路等に組み込まれ、高周波信号の伝送用として用いられる減衰器において、減衰器が組み込まれる高周波送受信器等のモジュールの筐体の外側から減衰量を調整することができ、しかも減衰量を小さくするときには透過損失を小さくすることができる減衰器ならびにそれを用いた高周波送受信器、レーダ装置、レーダ装置搭載車両およびレーダ装置搭載小型船舶に関するものである。
【背景技術】
【０００２】
従来から、特にミリ波帯（30ＧＨｚ〜300ＧＨｚ）の高周波信号を伝送する高周波用伝送線路として、非放射性誘電体線路（NonRadiative Dielectric Waveguide、以下、ＮＲＤガイドともいう。）が広く知られている。この非放射性誘電体線路を用いて構成した従来の減衰器は、例えば特許文献１〜特許文献６に開示されている。
【０００３】
なお、非放射性誘電体線路の基本的構成は、図11に部分破断斜視図で示すように、所定の間隔ａをもって平行に配置された平板導体51，52間に、断面が矩形状の誘電体線路53を、間隔ａを高周波信号の波長λに対してａ≦λ／２として配置したものである。これにより、外部から誘電体線路53へのノイズの侵入をなくし、かつ外部への高周波信号の放射をなくして、誘電体線路53中により高周波信号をほとんど損失なく伝搬させることができる。なお、波長λは使用周波数における空気中（自由空間）での高周波信号の波長である。
【０００４】
特許文献１〜特許文献６に開示されている従来の減衰器のうち、例えば、特許文献１に開示されている従来の減衰器においては、非放射性誘電体線路の誘電体線路の近くに平板導体に対向する方向から見てテーパ状の電波吸収体を併設している。
【０００５】
また、特許文献２に開示されている従来の減衰器においては、第１および第２の誘電体線路の中途を電磁結合するように近接させた非放射性誘電体線路型の方向性結合器において、第１および第２の誘電体線路の一方に終端抵抗を接続し、その終端抵抗を接続した誘電体線路を他方の誘電体線路に対して相対的に平行に移動する手段を設けている。
【０００６】
また、特許文献３〜特許文献６には、誘電体線路の中途かまたは端部に誘電体線路を伝搬する高周波信号を減衰させる減衰領域を設けている点において同様の技術が開示されている。
【０００７】
また、従来の高周波送受信器の例は、例えば、特許文献７および特許文献８に開示されている。
【０００８】
また、従来のレーダ装置およびそれを搭載したレーダ装置搭載車両の例は、例えば、特許文献９に開示されている。
【特許文献１】特開平６−45809号公報
【特許文献２】特開2000−22411号公報
【特許文献３】特開2000−114815号公報
【特許文献４】特開2000−114816号公報
【特許文献５】特開2001−16003号公報
【特許文献６】特開2003−289205号公報
【特許文献７】特開平７−77576号公報
【特許文献８】特開2000−258525号公報
【特許文献９】特開2003−35768号公報
【発明の開示】
【発明が解決しようとする課題】
【０００９】
しかしながら、特許文献１および特許文献３〜特許文献６に開示されているような従来の減衰器では、いずれも、誘電体線路および高周波信号を減衰する減衰領域を設けた誘電体線路を高周波回路要素とともに平板導体間に挟んで固定した後には、誘電体線路とともに高周波回路要素を覆っている平板導体を取り外す以外に誘電体線路を取り替えることはできないため、誘電体線路とともに高周波回路要素を覆っている平板導体を取り外さずに減衰量を変えることができないので、減衰器を高周波回路の一部に組み込んだ後に減衰量を変化させて調整する目的には用いにくいという問題点があった。
【００１０】
また、特許文献２に開示されているような従来の減衰器では、相対的に平行に移動させる誘電体線路は、平板導体間に挟み込んだ後に平板導体の内面との隙間を導電性部材等で埋めるかまたはその隙間を一定に維持することが難しいため、減衰器を透過する高周波信号の透過特性が不安定になることがあるので、減衰器を高周波回路の一部に組み込んだ後に減衰量を調整する目的にはやはり用いにくいところがあるという問題点があった。また、第１および第２の誘電体線路が近接して対向する部分が、第１および第２の誘電体線路を相互に平行移動する際に、精度良く平行度を維持したり対向する部分の距離を一定に維持したりすることが機械的に難しいため、減衰量の調整中に減衰量が滑らかに変化しなくて調整が難しかったり手間がかかったりするといった問題点や、第１および第２の誘電体線路が近接して対向する部分が、それらを平行移動することによって対向しない状態から対向する状態に移行する過渡的な状態において、減衰量が急激に変わりやすくなり、小さい減衰量での減衰量の調整が難しいという問題点があった。
【００１１】
また、従来の減衰器では、減衰器を高周波回路の一部に組み込んだ後にその高周波回路を動作させた状態で減衰量の調整を行なうこと（以下、動的なチューニングと言う。）が難しいという問題点もあった。
【００１２】
また、従来の減衰器を用いた高周波送受信器では、減衰器を高周波送受信器に組み込んだ後に、減衰量を調整したりその調整した状態を安定に維持したりすることが難しかったため、減衰器を高周波送受信器に組み込んだ後に、例えば高周波発振器の発振出力や高周波信号を伝送する高周波回路の透過特性等に応じて減衰量を調整してその調整された状態を安定に維持することにより高周波送受信器の送信出力等を所定の範囲に調整してその調整された状態を安定に維持することが難しいという問題点があった。
【００１３】
また、このような高周波送受信器を用いたレーダ装置では、高周波送受信器の例えば送信出力が強くなりすぎたり弱くなりすぎたりして、周囲の無線通信等に悪影響を及ぼしたり、または誤探知を起こしやすくなったり、探知することができる探知対象物までの距離が短くなったりすることがあるために、安定した送受信性能が得られにくいという問題点があった。
【００１４】
また、このようなレーダ装置を搭載した車両や小型船舶では、探知対象物をレーダ装置で探知することによってその情報に基づいて回避や制動等の適切な挙動をとることが行なわれているが、レーダ装置が誤探知を起こしたり、探知することができる探知対象物までの距離が短くなったり、探知対象物の探知が遅れたりすると、その探知の後にそれら車両や小型船舶に急激な挙動を起こさせたりしてしまうことがあるという問題点があった。
【００１５】
本発明は上記のような従来の技術における問題点を解決すべく案出されたものであり、その目的は、減衰器が組み込まれる高周波送受信器等のモジュールに対して、簡単に、そのモジュールの筐体の外側から減衰量の調整や動的なチューニングを行なうことができ、しかも設定した減衰量を安定に維持することができる減衰器ならびにそれを用いた高周波送受信器、レーダ装置、レーダ装置搭載車両およびレーダ装置搭載小型船舶を提供することにある。
【課題を解決するための手段】
【００１６】
本発明の減衰器は、第１、第２および第３の平板導体が、順次、高周波信号の波長の２分の１以下の間隔で平行に配置されているとともに、前記第１および第２の平板導体間に配置された２本の誘電体線路ならびに前記第２および第３の平板導体間に配置された、前記２本の誘電体線路の間に電気的に接続され前記高周波信号を減衰させる誘電体部材を、この誘電体部材の一端側と前記誘電体線路の一方の一端側とを、および前記誘電体部材の他端側と前記誘電体線路の他方の一端側とをそれぞれ前記第２の平板導体に設けた貫通孔を挟んで対向させて接続していることを特徴とするものである。
【００１７】
また、本発明の減衰器は、上記構成において、前記誘電体部材は、前記高周波信号を減衰する抵抗体または電波吸収体が設けられていることを特徴とするものである。
【００１８】
本発明の第１の高周波送受信器は、高周波信号を発生する高周波発振器と、この高周波発振器に第１の高周波用伝送線路で接続された、前記高周波信号を分岐して一方の出力端に送信用高周波信号として出力し、他方の出力端にローカル信号として出力する分岐器と、磁性体の周囲に第１の端子，第２の端子および第３の端子を有し、この順に一つの端子から入力された高周波信号を隣接する次の端子より出力する、前記分岐器の前記一方の出力端に第２の高周波用伝送線路で前記第１の端子が接続されたサーキュレータと、このサーキュレータの前記第２の端子に第３の高周波用伝送線路で接続された送受信アンテナと、前記分岐器の前記他方の出力端と前記サーキュレータの前記第３の端子との間に第４および第５の高周波用伝送線路で接続された、前記他方の出力端に出力された前記ローカル信号と前記送受信アンテナで受信した高周波信号とを混合して中間周波信号を出力するミキサーとを具備しており、前記第１乃至第５の高周波用伝送線路の少なくとも１つに上記各構成の本発明のいずれかの減衰器が接続されていることを特徴とするものである。
【００１９】
本発明の第２の高周波送受信器は、高周波信号を発生する高周波発振器と、この高周波発振器に第１の高周波用伝送線路で接続された、前記高周波信号を分岐して一方の出力端に送信用高周波信号として出力し、他方の出力端にローカル信号として出力する分岐器と、この分岐器の前記一方の出力端に入力端が第２の高周波用伝送線路で接続された、出力端側に前記送信用高周波信号を出力するアイソレータと、このアイソレータの前記出力端に第３の高周波用伝送線路で接続された、前記送信用高周波信号を送信する送信アンテナと、前記分岐器の前記他方の出力端側に第４の高周波用伝送線路で接続された受信アンテナと、この受信アンテナと前記分岐器の前記他方の出力端との間に前記第４の高周波用伝送線路および第５の高周波用伝送線路で接続された、前記他方の出力端に出力されたローカル信号と前記受信アンテナで受信した高周波信号とを混合して中間周波信号を出力するミキサーとを具備しており、前記第１乃至第５の高周波用伝送線路の少なくとも１つに上記各構成の本発明のいずれかの減衰器が接続されていることを特徴とするものである。
【００２０】
本発明のレーダ装置は、上記本発明の第１および第２のいずれかの高周波送受信器と、この高周波送受信器から出力される前記中間周波信号を処理して探知対象物までの距離情報を検出する距離情報検出器とを具備することを特徴とするものである。
【００２１】
本発明のレーダ装置搭載車両は、上記構成の本発明のレーダ装置を備え、このレーダ装置を探知対象物の検出に用いることを特徴とするものである。
【００２２】
本発明のレーダ装置搭載小型船舶は、上記構成の本発明のレーダ装置を備え、このレーダ装置を探知対象物の検出に用いることを特徴とするものである。
【発明の効果】
【００２３】
本発明の減衰器によれば、第１、第２および第３の平板導体が、順次、高周波信号の波長の２分の１以下の間隔で平行に配置されているとともに、前記第１および第２の平板導体間に配置された２本の誘電体線路ならびに前記第２および第３の平板導体間に配置された、前記２本の誘電体線路の間に電気的に接続され前記高周波信号を減衰させる誘電体部材を、該誘電体部材の一端側と前記誘電体線路の一方の一端側とを、および前記誘電体部材の他端側と前記誘電体線路の他方の一端側とをそれぞれ前記第２の平板導体に設けた貫通孔を挟んで対向させて接続していることから、誘電体部材が、誘電体線路を挟んでいる平板導体の外側で誘電体線路に電磁結合するように接続されることにより特性インピーダンスが整合した状態で高周波信号の損失を増大させる冗長な線路として働き、全体として、誘電体部材の高周波信号に対する単位長さ当たりの損失や誘電体部材の長さを変化させることにより、高周波信号が途中で反射することなく、高周波信号が減衰する減衰量を誘電体線路を挟んでいる平板導体の外側で簡単に調整することができるように機能する。その際、そのような調整をした後には、誘電体線路および誘電体部材は平板導体間に隙間なく固定することができるので、誘電体線路および誘電体部材を透過する高周波信号の透過特性を安定に維持することができる。このような誘電体部材の働きにより、減衰器が組み込まれる高周波送受信器等のモジュールの筐体の外側から減衰量の調整や動的なチューニングを簡単に行なうことができ、しかも設定した減衰量を安定に維持することができる減衰器となる。また、貫通孔が、誘電体線路と、その誘電体線路を挟んでいる平板導体の外側に配置されるさらに平板導体で挟まれた誘電体部材とを低損失で電磁結合する働きをするため、誘電体線路を挟んでいる平板導体の外側でその誘電体線路の途中に冗長な線路としての誘電体部材を接続しても誘電体線路および誘電体部材を透過する高周波信号の透過損失を小さくすることができるので、減衰量の調整範囲の下限値を小さくすることができる。また、上記のように誘電体部材の単位長当たりの損失や長さを変えることにより減衰量を大きくすることもできるので、減衰量の調整範囲を大きくすることができる。
【００２４】
また、本発明の減衰器によれば、上記構成において、前記誘電体部材は、前記高周波信号を減衰する抵抗体または電波吸収体が設けられているときには、抵抗体または電波吸収体が、誘電体部材の高周波信号に対する単位長さ当たりの損失を大きくする働きをするため、誘電体部材の長さを長くしなくても高周波信号に対する損失を大きくして減衰量を大きくすることができるので、小型化に有利な減衰器となる。
【００２５】
本発明の第１の高周波送受信器によれば、高周波信号を発生する高周波発振器と、この高周波発振器に第１の高周波用伝送線路で接続された、前記高周波信号を分岐して一方の出力端に送信用高周波信号として出力し、他方の出力端にローカル信号として出力する分岐器と、磁性体の周囲に第１の端子，第２の端子および第３の端子を有し、この順に一つの端子から入力された高周波信号を隣接する次の端子より出力する、前記分岐器の前記一方の出力端に第２の高周波用伝送線路で前記第１の端子が接続されたサーキュレータと、このサーキュレータの前記第２の端子に第３の高周波用伝送線路で接続された送受信アンテナと、前記分岐器の前記他方の出力端と前記サーキュレータの前記第３の端子との間に第４および第５の高周波用伝送線路で接続された、前記他方の出力端に出力された前記ローカル信号と前記送受信アンテナで受信した高周波信号とを混合して中間周波信号を出力するミキサーとを具備しており、前記第１乃至第５の高周波用伝送線路の少なくとも１つに上記各構成の本発明のいずれかの減衰器が接続されていることから、高周波用伝送線路に接続されている減衰器が、減衰器が高周波送受信器の一部として組み込まれた後に、減衰器の入出力間を透過する高周波信号の透過係数を変化させることにより、減衰器の入出力間で高周波信号を大きく減衰させるべきときには大きく減衰させ、ほとんど減衰させないでおくべきときには非常に小さい透過損失で透過させて減衰器の入出力間で高周波信号の強度を調整し、その強度を安定に維持することができ、高周波送受信器の内部で使用される高周波信号の強度や高周波送受信器から外部に出力される送信用高周波信号の強度が適切なものとなるように調整して、その状態を安定に維持することができるので、安定した送受信性能を有する高性能な高周波送受信器となる。
【００２６】
本発明の第２の高周波送受信器によれば、高周波信号を発生する高周波発振器と、この高周波発振器に第１の高周波用伝送線路で接続された、前記高周波信号を分岐して一方の出力端に送信用高周波信号として出力し、他方の出力端にローカル信号として出力する分岐器と、該分岐器の前記一方の出力端に入力端が第２の高周波用伝送線路で接続された、出力端側に前記送信用高周波信号を出力するアイソレータと、このアイソレータの前記出力端に第３の高周波用伝送線路で接続された、前記送信用高周波信号を送信する送信アンテナと、前記分岐器の前記他方の出力端側に第４の高周波用伝送線路で接続された受信アンテナと、この受信アンテナと前記分岐器の前記他方の出力端との間に前記第４の高周波用伝送線路および第５の高周波用伝送線路で接続された、前記他方の出力端に出力されたローカル信号と前記受信アンテナで受信した高周波信号とを混合して中間周波信号を出力するミキサーとを具備しており、前記第１乃至第５の高周波用伝送線路の少なくとも１つに上記各構成の本発明のいずれかの減衰器が接続されていることから、送受別体のアンテナを用いた高周波送受信器においても、高周波用伝送線路に接続されている減衰器が、減衰器が高周波送受信器の一部として組み込まれた後に、減衰器の入出力間を透過する高周波信号の透過係数を変化させることにより、減衰器の入出力間で高周波信号を大きく減衰させるべきときには大きく減衰させ、ほとんど減衰させないでおくべきときには非常に小さい透過損失で透過させて減衰器の入出力間で高周波信号の強度を調整し、その強度を安定に維持することができ、高周波送受信器の内部で使用される高周波信号の強度や高周波送受信器から外部に出力される送信用高周波信号の強度が適切なものとなるように調整して、その状態を安定に維持することができるので、安定した送受信性能を有する高性能な高周波送受信器となる。
【００２７】
本発明のレーダ装置によれば、上記本発明の第１および第２のいずれかの高周波送受信器と、この高周波送受信器から出力される前記中間周波信号を処理して探知対象物までの距離情報を検出する距離情報検出器とを具備することから、高周波送受信器の送受信性能が高いため、早く確実に探知対象物を探知することができるとともに遠方の探知対象物をも探知することができるレーダ装置となる。
【００２８】
本発明のレーダ装置搭載車両によれば、上記本発明のレーダ装置を備え、このレーダ装置を探知対象物の検出に用いることから、レーダ装置が早く確実に探知対象物である他の車両を探知するため、急激な挙動を車両に起こさせることなく、車両の適切な制御や運転者への適切な警告をすることができるレーダ装置搭載車両となる。
【００２９】
本発明のレーダ装置搭載船舶によれば、上記本発明のレーダ装置を備え、このレーダ装置を探知対象物の検出に用いることから、レーダ装置が早く確実に探知対象物である他の小型船舶を探知するため、急激な挙動を小型船舶に起こさせることなく、小型船舶の適切な制御や操縦者への適切な警告をすることができるレーダ装置搭載小型船舶となる。
【発明を実施するための最良の形態】
【００３０】
本発明の減衰器、それを用いた第１および第２の高周波送受信器、それを具備したレーダ装置ならびにそれを搭載したレーダ装置搭載車両およびレーダ装置搭載小型船舶について、以下に詳細に説明する。
【００３１】
図１は本発明の減衰器の実施の形態の一例を示す模式図であり、（ａ）は平面図、（ｂ）および（ｃ）はそれぞれそのＡ−Ａ’線断面図およびＢ−Ｂ’線断面図である。また、図２は、本発明の減衰器の実施の形態の他の例を示す模式的な平面図である。また、図３は、本発明の減衰器の実施の形態のさらに他の例を示す模式的な斜視図である。また、図４および図５は、それぞれ本発明の第１の高周波送受信器の実施の形態の一例を示す模式的なブロック回路図および平面図である。また、図６および図７は、それぞれ本発明の第２の高周波送受信器の実施の形態の一例を示す模式的なブロック回路図および平面図である。また、図８および図９は、それぞれ本発明の第１および第２の高周波送受信器の実施の形態の他の例を模式的に示すブロック回路図である。また、図10は本発明のレーダ装置の実施の形態の一例を模式的に示すブロック回路図である。
【００３２】
図１〜図３において、１，２および３はそれぞれ第１，第２および第３の平板導体としての平板導体、２ａ，２ｂは第２の平板導体２に設けられた貫通孔、４，５は誘電体線路、４ａ，５ａは誘電体線路４，５の一端、６，７は誘電体部材、６ａ，７ａおよび６ｂ，７ｂはそれぞれ誘電体部材６，７の一端および他端、７ｃ，７ｄは誘電体部材７の向かい合っている部分、８は第１の筐体、９は第２の筐体、９ａは第２の筐体９の蓋体である。
【００３３】
また、図４〜図10において、11は高周波発振器、12は分岐器、13は変調器、14はサーキュレータ、15は送受信アンテナ、16はミキサー、17はスイッチ、18はアイソレータ、18ａおよび18ｂはそれぞれアイソレータ18の入力端および出力端、19は送信アンテナ、20は受信アンテナ、21，31は平板導体、22，32は第１の誘電体線路、23，33は第２の誘電体線路、24，34は第３の誘電体線路、25，35は第４の誘電体線路、36は第５の誘電体線路、27，37は磁性体としてのフェライト板、14ａ，27ａ，37ａは第１の端子、14ｂ，27ｂ，37ｂは第２の端子、14ｃ，27ｃ，37ｃは第３の端子、24ａ，35ａ，36ａは無反射終端器である。なお、図５および図７において上側の平板導体は図示していない。また、図２において平板導体３は表示していない。さらに、図１〜図３において破線は裏側に隠れている構成要素を透視して表している。また、図３において、第１の筐体９は減衰器の部分のみを表している。
【００３４】
まず、本発明の減衰器について、図面を参照しつつ詳細に説明する。
【００３５】
図１に示す本発明の減衰器の実施の形態の一例は、平板導体１，２，３が、順次、高周波信号の波長の２分の１以下の間隔で平行に配置されているとともに、平板導体１，２間に配置された２本の誘電体線路４，５ならびに平板導体２，３間に配置された、２本の誘電体線路４，５の間に電気的に接続され高周波信号を減衰させる誘電体部材６を、この誘電体部材６の一端６ａ側と誘電体線路４の一端側とを、および誘電体部材６の他端６ｂ側と誘電体線路５の一端側とをそれぞれ平板導体２に設けた貫通孔２ａ，２ｂを挟んで対向させて接続している。
【００３６】
上記構成において、誘電体部材６は平板導体２，３間に配置されて非放射性誘電体線路を構成している。また、誘電体部材６は、それを介して非放射性誘電体線路を構成する誘電体線路４，５の間を高周波信号が透過するように、それら２本の誘電体線路４，５間を電気的に接続するためのものであり、その高周波信号が誘電体部材６を透過する時に必要な減衰量だけその高周波信号を減衰させるためのものである。具体的にこのような誘電体部材６を用いて高周波信号を所定の減衰量だけ減衰させるには、誘電体部材６を損失のある線路として構成すればよくて、誘電体部材６自体の誘電体損失を大きくしたり平板導体２，３の導体損失を大きくしたりするか、または後述するように誘電体部材６に抵抗体または電波吸収体を設けてその部分で損失が生じるようにすればよい。また、誘電体部材６の一部に断面形状が異なる部分を設けたり途切れた部分を設けたりして、その部分で特性インピーダンスが他の部分と異なるようにしてもよい。ただし、この場合には、特性インピーダンスが他の部分と異なる部分で高周波信号が反射してしまうといった点に注意をする必要がある。
【００３７】
このような誘電体部材６のうち、誘電体部材６自体の誘電体損失を大きくする場合には、例えば、誘電体部材６はコーディエライト（２ＭｇＯ・２Ａｌ２Ｏ３・５ＳｉＯ２）セラミックス，アルミナ（Ａｌ２Ｏ３）セラミックス，ガラスセラミックス等のセラミックスにカリウム（Ｋ）等のアルカリ金属を添加したものとすればよい。また、誘電体部材６はコーディエライト（２ＭｇＯ・２Ａｌ２Ｏ３・５ＳｉＯ２）セラミックスのＭｇＯ，Ａｌ２Ｏ３およびＳｉＯ２の組成比を２：２：５からずらしたものとしてもよい。また、誘電体部材６には、上記セラミックスの焼成温度を低くする等して焼結の際に用いるワックス，ＰＶＡ等のバインダーが残留するようにしてもよい。
【００３８】
上記のような誘電体部材６を用いれば、高周波信号の伝搬方向の単位長さ当たりの損失を適当な水準に設定してからさらに伝搬方向の長さを調整することにより、誘電体部材６を透過する高周波信号の損失の大きさを緻密に設定することができる。また、上記のように誘電体部材６自体の誘電体損失を大きくする場合には、誘電体部材６に印刷や貼り合わせ等の後加工を施す必要がないため、製造が簡単になる利点がある。
【００３９】
また、貫通孔２ａは誘電体線路４の一端４ａ側と誘電体部材６の一端６ａ側とを電磁結合するためのものであり、貫通孔２ｂは同様に誘電体部材６の他端６ｂ側と誘電体線路５の一端５ａ側とを電磁結合するためのものである。貫通孔２ａ，２ｂを介して誘電体線路４，５と誘電体部材６とを効率よく電磁結合するには、貫通孔２ａ，２ｂを次のように配置することが望ましい。すなわち、誘電体線路４の一端４ａ側のＬＳＭモードの電界の強い箇所と誘電体部材６の一端６ａ側のＬＳＭモードの電界の強い箇所とが平板導体２を挟んで対向するように誘電体線路４および誘電体部材６を配置して、平板導体２のそれらＬＳＭモードの電界の強い箇所に貫通孔２ａを設けるとよい。また、同様に、誘電体線路５の一端５ａ側のＬＳＭモードの電界の強い箇所と誘電体部材６の他端６ｂ側のＬＳＭモードの電界の強い箇所とが平板導体２を挟んで対向するように誘電体線路５および誘電体部材６を配置して、平板導体２のそれらＬＳＭモードの電界の強い箇所に貫通孔２ｂを設けるとよい。このようにすれば、誘電体線路４，５を挟む平板導体１，２の外側で誘電体線路４，５の間に誘電体部材６を介在させることによる高周波信号の透過損失の増加を少なくすることができるといった効果がある。
【００４０】
図１に示す本発明の減衰器は、このような誘電体部材６および貫通孔２ａ，２ｂが、共同して働くことによって、誘電体線路４，５を挟んでいる平板導体１，２の外側に配置された誘電体部材６に貫通孔２ａ，２ｂを介して誘電体線路４，５から高周波信号が効率良く入出力され、平板導体１，２の外側で誘電体部材６が損失のある線路として高周波信号を減衰させるといった減衰器としての動作をする。その際、減衰器とともに高周波回路を構成する他の高周波回路要素も、通常は平板導体１，２間に配置され、その一部が誘電体線路４，５に接続されて、その高周波回路が、誘電体部材６を除いて平板導体１，２間に収容された高周波回路モジュールとして構成されるので、誘電体部材６は平板導体１，２間に配置された他の構成要素に触ることなくそのような高周波回路モジュールから簡単に取り外したり取り付けたりすることができるようになる。
【００４１】
そして、図１に示す本発明の減衰器によれば、平板導体２，３間の所定の位置に取り付ける誘電体部材６の高周波信号に対する単位長さ当たりの損失や長さを変化させることにより、高周波信号の伝搬方向に特性インピーダンスが好ましくは一様とされているために高周波信号を途中で反射することなく、高周波信号が減衰する減衰量を誘電体線路４，５を挟んでいる平板導体１，２の外側で簡単に調整することができる。また、そのような調整をした後には、誘電体線路４，５および誘電体部材６は平板導体１，２，３間に隙間なく固定することができるので、誘電体線路４，５および誘電体部材６を透過する高周波信号の透過特性を安定に維持することができる。
【００４２】
また、貫通孔２ａ，２ｂが、誘電体線路４，５と誘電体部材６とを低損失で電磁結合するため、冗長な線路としての誘電体部材６を誘電体部材４，５間に平板導体１，２の外側で接続しても誘電体線路４，５および誘電体部材６を透過する高周波信号の透過損失を小さくすることができるので、減衰量を一時的に小さくするときの透過損失を小さくすることができる（すなわち、減衰量の調整範囲の下限値を小さくすることができる。）。また、上記のように誘電体部材６の単位長さ当たりの損失や長さを変えることにより減衰量を大きくすることもできるので、減衰量の調整範囲を大きくすることができる。
【００４３】
したがって、図１に示す本発明の減衰器によれば、上記構成とすることから、減衰器が組み込まれる高周波送受信器等のモジュールの筐体の外側から減衰量の調整や動的なチューニングを簡単に行なうことができ、しかも設定した減衰量を安定に維持することができるものとなる。
【００４４】
次に、図２に平面図で示す本発明の減衰器の実施の形態の他の例は、図１に示す例に対して、直線状の誘電体部材６に代えて曲線状の誘電体部材７を用いており、この誘電体部材７は、平板導体２に対向する側から見てＵ字形状となっている。このような形状の誘電体部材７を用いる場合には、図１に示す減衰器と同様の作用効果を有する他、Ｕ字形状である誘電体部材７の向かい合っている部分７ｃ，７ｄの間隔を変えないでその対向する部分７ｃ，７ｄの長さを変えることにより、誘電体部材７の長さを変えて誘電体部材７の高周波信号に対する損失を連続的かつ滑らかに変えることができるため、誘電体部材７の一端側７ａおよび他端側７ｂのそれぞれの部位の平板導体２に設けられる貫通孔２ａ，２ｂの間隔を変えることなしに、誘電体部材７の長さで誘電体部材７の損失を連続的かつ滑らかに変えることができるので、減衰量を緻密に調整することができるものとなる。すなわち、平板導体１，２間の構成要素の配置とは独立に誘電体部材７の長さを調整して減衰量を調整することができる。
【００４５】
次に、図３に斜視図で示す本発明の減衰器の実施の形態のさらに他の例は、図１に示す例に対して、第１および第２の平板導体１，２と第２および第３の平板導体２，３とを、それぞれ第１の筐体８と第２の筐体９とから成るものとしており、第１の筐体８の大きさよりも第２の筐体９の大きさを小さくしている。また、第２の筐体９は誘電体部材６（或いは誘電体部材７）を収容するためのものであって、誘電体部材６は、第２の筐体９の平板導体３に相当する部分の蓋体９ａを第２の筐体９の他の部分から取り外すことによって、第２の筐体９の内側の所定位置に配置される。また、第１の筐体８は、減衰器を、非放射性誘電体線路を用いた他の高周波回路要素と接続するときに、それら他の高周波回路要素も収容するために用いるものである。
【００４６】
このような構成において、誘電体部材６は第１の筐体８に収容される構成要素と比較して調整のために高い頻度で取り替えられることがあるから、第２の筐体９の大きさを第１の筐体８よりも小さくしておくと、蓋体９ａの取り付けまたは取り外しを容易にすることができるので都合がよい。蓋体９ａは、誘電体部材６に対してのみ密着させればよいからその密着が容易なので、蓋体９ａを開け閉めしても蓋体９ａを誘電体部材６にきちんと密着させて第２の筐体９と誘電体部材６で構成される非放射性誘電体線路の特性を安定に維持することができる。
【００４７】
図１〜図３に示す本発明の減衰器の実施の形態の例において、誘電体部材６，７は、高周波信号を減衰する抵抗体または電波吸収体（図示せず）が設けられていることが好ましい。この場合には、抵抗体または電波吸収体が、誘電体部材６，７の高周波信号に対する単位長さ当たりの損失を大きくする働きをするため、誘電体部材６，７の長さを長くしなくても高周波信号に対する損失を大きくして減衰量を大きくすることができるので、減衰量の調整範囲を大きくすることができるものとなる。
【００４８】
そのような抵抗体の材質としては、例えば、抵抗率が比較的大きい材質であるアルメル，クロム（Ｃｒ），コンスタンタン，ジルコニウム（Ｚｒ），錫（Ｓｎ），青銅，タンタル（Ｔａ），鉛（Ｐｂ），白金ロジウム合金（Ｐｔ−Ｒｈ），ニッケルクロム合金（Ｎｉ−Ｃｒ），パラジウム（Ｐｄ），マンガン（Ｍｎ），モリブデン（Ｍｏ），ルビジウム（Ｒｂ），カーボン（Ｃ）等またはそれらを含む複数の単体金属から成る合金を用いればよい。中でも、カーボン（Ｃ）またはニッケルクロム合金（Ｎｉ−Ｃｒ）が好適である。
【００４９】
また、そのような電波吸収体の材質としては、パーマロイまたはセンダストが好適である。これらの材質からなる誘電体部材６，７を用いれば、効率良く高周波信号を減衰させることができる。また、これら以外の材質で、高周波信号を減衰させることができるものを用いても構わない。
【００５０】
なお、抵抗体または電波吸収体は、誘電体部材６，７に対して、平板導体２，３の内面に対向しない両側の側面の上下端部に、膜状のものを付着させて構成すればよい。
【００５１】
次に、本発明の減衰器の各構成要素についてさらに詳細に説明する。本発明において、誘電体線路４，５の材料は、四フッ化エチレン，ポリスチレン等の樹脂、または低比誘電率のコーディエライト（２ＭｇＯ・２Ａｌ２Ｏ３・５ＳｉＯ２）セラミックス，アルミナ（Ａｌ２Ｏ３）セラミックス，ガラスセラミックス等のセラミックスが好ましく、これらはミリ波帯域において低損失である。
【００５２】
また、誘電体線路４，５および誘電体部材６，７の断面形状は基本的には矩形状であるが、矩形の角部をまるめた形状であってもよく、高周波信号の伝送に使用される種々の断面形状のものを使用することができる。
【００５３】
また、平板導体１，２，３には、高い電気伝導度および良好な加工性等の点で、銅，アルミニウム，鉄（Ｆｅ），銀（Ａｇ），金（Ａｕ），白金（Ｐｔ），ＳＵＳ（ステンレススチール），真鍮（Ｃｕ−Ｚｎ合金）等の金属から成る導体板が好適である。あるいは、セラミックス，樹脂等から成る絶縁板の表面にこれらの金属から成る導体層を形成したものでもよい。
【００５４】
なお、本発明の減衰器は、特にミリ波帯の高周波信号を減衰させるのに好適に用いることができるものであるが、高周波信号の周波数がそれよりも低い例えばマイクロ波帯であっても有効に用いることができる。
【００５５】
次に、本発明の第１および第２の高周波送受信器について、図面を参照しつつ詳細に説明する。
【００５６】
図４および図５にそれぞれブロック回路図および平面図で示す本発明の第１の高周波送受信器の実施の形態の一例は、高周波信号を発生する高周波発振器11と、この高周波発振器11に第１の高周波用伝送線路で接続された、その高周波信号を分岐して一方の出力端12ｂに送信用高周波信号RFとして出力し、他方の出力端12ｃにローカル信号LOとして出力する分岐器12と、磁性体としてのフェライト板27の周囲に第１の端子27ａ，第２の端子27ｂおよび第３の端子27ｃを有し、この順に一つの端子から入力された高周波信号を隣接する次の端子より出力する、分岐器12の一方の出力端12ｂに第２の高周波用伝送線路で第１の端子14ａが接続されたサーキュレータ14と、このサーキュレータ14の第２の端子14ｂに第３の高周波用伝送線路で接続された送受信アンテナ15と、分岐器12の他方の出力端12ｃとサーキュレータ14の第３の端子14ｃとの間に第４および第５の高周波用伝送線路で接続された、他方の出力端12ｃに出力されたローカル信号LOと送受信アンテナ15で受信した高周波信号とを混合して中間周波信号を出力するミキサー16とを具備しており、第１乃至第５の高周波用伝送線路の少なくとも１つ（この例では第２の高周波用伝送線路）に上記各構成の本発明のいずれかの減衰器Ａ（この例では図１に示した例）が接続されている構成である。
【００５７】
この構成により、ＦＭＣＷ方式のレーダ装置に対応する高周波送受信器とすることができる。なお、これら第１および第２，第３，第４，第５の高周波用伝送線路は、図５においては、それぞれ第１の誘電体線路22，第２の誘電体線路23，第３の誘電体線路24，第４の誘電体線路25に対応している。また、第１の端子14ａ，第２の端子14ｂおよび第３の端子14ｃは、図５において、それぞれ第１の端子27ａ，第２の端子27ｂおよび第３の端子27ｃに対応している。また、図５において、分岐器12は、第１の誘電体線路22と第３の誘電体線路24とを電磁結合するように近接させたところで構成されており、第１の誘電体線路22のその近接させたところから高周波発振器11側の部分が第１の高周波用伝送線路に対応しており、第１の誘電体線路22のその他の部分が第２の高周波用伝送線路に対応している。また、第３の誘電体線路24の高周波発振器11側の端部には無反射終端器24ａが接続されている。また、図５において、21は下側の平板導体である。
【００５８】
なお、図５には第２の高周波用伝送線路に接続される減衰器Ａの具体的な構成を図示していないが、減衰器Ａを構成する誘電体部材６は、第１の誘電体線路22に対して、第３の誘電体線路24が近接しているところからサーキュレータ14寄りに設ければよい。
【００５９】
また、上記構成に対して、図８に図４と同様のブロック回路図で示すように、第２の高周波用伝送線路の途中に挿入されて分岐器12の一方の出力端12ｂとサーキュレータ14の第１の端子14ａとの間に接続された、分岐器12の一方の出力端12ｂから出力された高周波信号を変調して送信用高周波信号としてサーキュレータ14の第１の端子14ａに出力する変調器13を備えるものとして、ＦＭパルス方式のレーダ装置に対応する高周波送受信器としてもよい。
【００６０】
図４および図５にそれぞれブロック回路図および平面図で示す本発明の第１の高周波送受信器の実施の形態の一例によれば、上記構成とすることから、第２の高周波用伝送線路に接続されている減衰器Ａが、減衰器Ａが高周波送受信器の一部として組み込まれた後に、減衰器Ａの入出力間を透過する高周波信号の透過係数を変化させることにより、減衰器Ａの入出力間で高周波信号を大きく減衰させるべきときには大きく減衰させ、ほとんど減衰させないでおくべきときには非常に小さい透過損失で透過させて、減衰器Ａの入出力間で高周波信号の強度を調整しその強度を安定に維持することができ、高周波送受信器の内部で使用される高周波信号の強度や高周波送受信器から外部に出力される送信用高周波信号の強度が適切なものとなるように調整してその状態を安定に維持することができるので、安定した送受信性能を有する高性能なものとなる。なお、この例のように減衰器Ａが第２の高周波用伝送線路に接続されているときには、ローカル信号LOや受信用信号（送受信アンテナ15からミキサー16に入射する高周波信号）を変化させることなく送信用高周波信号RFの出力のみを調整することができる利点がある。なお、図８に示す高周波送受信器においても同様の作用効果を有するものとなる。
【００６１】
次に、図６および図７にそれぞれブロック回路図および平面図で示す本発明の第２の高周波送受信器の実施の形態の一例は、高周波信号を発生する高周波発振器11と、この高周波発振器11に第１の高周波用伝送線路で接続された、高周波信号を分岐して一方の出力端12ｂに送信用高周波信号RFとして出力し、他方の出力端12ｃにローカル信号LOとして出力する分岐器12と、この分岐器12の一方の出力端12ｂに入力端18ａが第２の高周波用伝送線路で接続された、出力端18ｂ側に送信用高周波信号RFを出力するアイソレータ18と、このアイソレータ18の出力端18ｂに第３の高周波用伝送線路で接続された、送信用高周波信号RFを送信する送信アンテナ19と、分岐器12の他方の出力端12ｃ側に第４の高周波用伝送線路で接続された受信アンテナ20と、受信アンテナ20と分岐器12の他方の出力端12ｃとの間に第４および第５の高周波用伝送線路で接続された、他方の出力端12ｃに出力されたローカル信号LOと受信アンテナ20で受信した高周波信号とを混合して中間周波信号を出力するミキサー16とを具備しており、第１乃至第５の高周波用伝送線路の少なくとも１つ（この例では第１の高周波用伝送線路）に上記各構成の本発明のいずれかの減衰器Ａ（この例では図１に示した例）が接続されている構成である。
【００６２】
この構成により、ＦＭＣＷ方式のレーダ装置に対応する高周波送受信器とすることができる。なお、第１および第２，第３，第４，第５の高周波用伝送線路は、図７においては、それぞれ第１の誘電体線路32，第２の誘電体線路33，第３の誘電体線路34，第４の誘電体線路35に対応している。なお、図７において、分岐器12は、第１の誘電体線路32と第４の誘電体線路35とを電磁結合するように近接させたところで構成されており、第１の誘電体線路32のその近接させたところから高周波発振器11側の部分が第１の高周波用伝送線路に対応しており、第１の誘電体線路32のその他の部分が第２の高周波用伝送線路に対応している。また、アイソレータ18は、磁性体としてのフェライト板37の周囲に第１の端子37ａ，第２の端子37ｂおよび第３の端子37ｃを有し、この順に一つの端子から入力された高周波信号を隣接する次の端子より出力するサーキュレータの第３の端子37ｃに、一端に無反射終端器36ａが接続された第５の誘電体線路36の他端を接続して構成されている。なお、第１の端子37ａおよび第２の端子37ｂはそれぞれアイソレータ18の入力端18ａおよび出力端18ｂに対応している。また、第４の誘電体線路35の高周波発振器11側の端部には無反射終端器35ａが接続されている。
【００６３】
なお、図７には第２の高周波用伝送線路に接続される減衰器Ａの具体的な構成を図示していないが、減衰器Ａを構成する誘電体部材６は、第１の誘電体線路32に対して、第４の誘電体線路35が近接しているところからアイソレータ18寄りに設ければよい。
【００６４】
また、上記構成に対して、図９に図６と同様のブロック回路図で示すように、第２の高周波用伝送線路の途中に挿入されて分岐器12の一方の出力端12ｂとアイソレータ18の入力端18ａとの間に接続された、分岐器12の一方の出力端12ｂから出力された高周波信号を変調して送信用高周波信号としてアイソレータ18の入力端18ａに出力する変調器13を備えるものとして、ＦＭパルス方式のレーダ装置に対応する高周波送受信器としてもよい。
【００６５】
図６および図７にそれぞれブロック回路図および平面図で示す本発明の第２の高周波送受信器の実施の形態の一例によれば、上記構成とすることから、送受別体のアンテナを用いた高周波送受信器においても、第２の高周波用伝送線路に接続されている減衰器Ａが、減衰器Ａが高周波送受信器の一部として組み込まれた後に、減衰器Ａの入出力間を透過する高周波信号の透過係数を変化させることにより、減衰器Ａの入出力間で高周波信号を大きく減衰させるべきときには大きく減衰させ、ほとんど減衰させないでおくべきときには非常に小さい透過損失で透過させて減衰器Ａの入出力間で高周波信号の強度を調整してその強度を安定に維持することができ、高周波送受信器の内部で使用される高周波信号の強度や高周波送受信器から外部に出力される送信用高周波信号の強度が適切なものとなるように調整してその状態を安定に維持することができるので、安定した送受信性能を有する高性能なものとなる。なお、この例のように減衰器Ａが第２の高周波用伝送線路に接続されているときには、ローカル信号LOや受信用信号（受信アンテナ20からミキサー16に入射する高周波信号）を変化させることなく送信用高周波信号RFの出力のみを調整することができる利点がある。なお、図９に示す高周波送受信器においても同様の作用効果を有するものとなる。
【００６６】
なお、本発明の第１および第２の高周波送受信器においては、図４および図６に示すようにミキサー16の出力端に、中間周波信号を適当なタイミングで遮断するＣＭＯＳ等の半導体集積回路素子等から成るスイッチ17を接続してもよい。この場合には、ノイズが含まれており受信する必要のないミキサー出力を遮断し、受信性能を高めることができる高周波送受信器となる。
【００６７】
次に、本発明のレーダ装置ならびにそれを搭載したレーダ装置搭載車両およびレーダ装置搭載小型船舶について説明する。
【００６８】
図10にブロック回路図で示す本発明のレーダ装置は、上記本発明の第１および第２のいずれか（この例では第１）の高周波送受信器と、この高周波送受信器から出力される前記中間周波信号を処理して探知対象物までの距離情報を検出する距離情報検出器100とを備えている構成である。本発明のレーダ装置は、このような構成とすることから、高周波送受信器の送受信性能が高くて安定しているため、誤探知を起こしにくくて、早く確実に探知対象物を探知することができるとともに遠方の探知対象物をも探知することができるレーダ装置となる。
【００６９】
そして、このような本発明のレーダ装置は、車両や小型船舶に搭載して、探知対象物として他の車両や小型船舶あるいは障害物等を探知し、それらとの衝突を回避する等の目的で使用することができる。このような目的に本発明のレーダ装置を使用すれば、レーダ装置が誤探知を起こしにくくて、速く確実に他の車両や小型船舶あるいは障害物等を探知することができるので、車両や小型船舶に急激な挙動を起こさせることなく安全にそれらとの衝突を回避することができる。また、探知に用いる高周波信号の送信出力が安定しているため、所定の最大出力を超えない範囲で送信出力を大きくすることができるので、安定に探知をしつつ、そのレーダ装置で使用する周波数に近接する周波数を使用する周囲の他の通信に対して通信障害等を与えにくくすることができる。
【００７０】
なお、本発明のレーダ装置を搭載して使用することができる車両としては、汽車，電車，自動車等旅客や貨物を輸送するための車，自転車，原動機付き自転車，遊園地の乗り物，ゴルフ場のカート等がある。また、本発明のレーダ装置を搭載して使用することができる小型船舶としては、小型船舶の免許もしくは免許なしで操縦することができる船舶であって、総トン数20トン未満の船舶である手漕ぎボート，ディンギー，水上オートバイ，船外機搭載の小型バスボート，船外機搭載のインフレータブルボート（ゴムボート），漁船，遊漁船，作業船，屋形船，トーイングボート，スポーツボート，フィッシングボート，ヨット，外洋ヨット，クルーザーまたは総トン数20トン以上のプレジャーボート等がある。
【００７１】
かくして、本発明によれば、減衰器が組み込まれる高周波送受信器等のモジュールの筐体の外側から減衰量の調整や動的なチューニングを簡単に行なうことができ、しかも設定した減衰量を安定に維持することができる減衰器ならびにそれを用いた高周波送受信器、レーダ装置、レーダ装置搭載車両およびレーダ装置搭載小型船舶を提供することができる。
【００７２】
なお、本発明は以上の実施の形態の例に限定されるものではなく、本発明の要旨を逸脱しない範囲内で種々の変更を行なうことは何等差し支えない。例えば、誘電体線路４，５は貫通孔２ａ，２ｂの下に誘電体共振器を設けて、その誘電体共振器にそれぞれの一端４ａ，５ａを接続するようにしてもよい。この場合には、誘電体線路４，５および誘電体共振器が多少ずれて配置されても、それによる透過損失の増加を比較的小さくすることができるものとなる。
【図面の簡単な説明】
【００７３】
【図１】本発明の減衰器の実施の形態の一例を示す模式図であり、（ａ）は平面図、（ｂ）および（ｃ）はそれぞれそのＡ−Ａ’線断面図およびＢ−Ｂ’線断面図である。
【図２】本発明の減衰器の実施の形態の他の例を示す模式的な平面図である。
【図３】本発明の減衰器の実施の形態のさらに他の例を示す模式的な斜視図である。
【図４】本発明の第１の高周波送受信器の実施の形態の一例を模式的に示すブロック回路図である。
【図５】図４に示す高周波送受信器の模式的な平面図である。
【図６】本発明の第２の高周波送受信器の実施の形態の一例を模式的に示すブロック回路図である。
【図７】図６に示す高周波送受信器の模式的な平面図である。
【図８】本発明の第１の高周波送受信器の実施の形態の他の例を模式的に示すブロック回路図である。
【図９】本発明の第２の高周波送受信器の実施の形態の他の例を模式的に示すブロック回路図である。
【図１０】本発明のレーダ装置の実施の形態の一例を模式的に示すブロック回路図である。
【図１１】非放射性誘電体線路の基本的構成を模式的に示す部分破断斜視図である。
【符号の説明】
【００７４】
１，２，３  ：平板導体
４，５      ：誘電体線路
４ａ，５ａ：一端
６，７      ：誘電体部材
６ａ，７ａ：一端
６ｂ，７ｂ：他端
７ｃ，７ｄ：向かい合っている部分
８          ：第１の筐体
９          ：第２の筐体
９ａ      ：蓋体
11    ：高周波発振器
12    ：分岐器
12ａ：入力端
12ｂ：一方の出力端
12ｃ：他方の出力端
13    ：変調器
14    ：サーキュレータ
14ａ：第１の端子
14ｂ：第２の端子
14ｃ：第３の端子
15    ：送受信アンテナ
16    ：ミキサー
17    ：スイッチ
18    ：アイソレータ
18ａ：入力端
18ｂ：出力端
19    ：送信アンテナ
20    ：受信アンテナ
21，31：平板導体（下側）
22，32：第１の誘電体線路
23，33：第２の誘電体線路
24，34：第３の誘電体線路
24ａ  ：無反射終端器
25，35：第４の誘電体線路
35ａ  ：無反射終端器
36    ：第５の誘電体線路
36ａ  ：無反射終端器
27，37：フェライト板
Ａ    ：減衰器
【図１】
2006157287.tif 000003
【図２】
2006157287.tif 000004
【図３】
2006157287.tif 000005
【図４】
2006157287.tif 000006
【図５】
2006157287.tif 000007
【図６】
2006157287.tif 000008
【図７】
2006157287.tif 000009
【図８】
2006157287.tif 000010
【図９】
2006157287.tif 000011
【図１０】
2006157287.tif 000012
【図１１】
2006157287.tif 000013